(57)【要約】【課題】簡素な構造を用いて良好なスタッキング状態を実現することができる収納ボックスを提供する。【解決手段】前方に開放する前方開口部２ｂを有するボックス本体２と、このボックス本体２に前方開口部２ｂを介して出し入れ可能に収容される引出し部３とを具備するものであって、ボックス本体２の上面壁２２に凹部２ｐを設け、第１下面壁構成片２３に凹部２ｐに嵌合し得る凸部２ｑを設け、この凹部２ｐ又は凸部２ｑと、他の収納ボックスＸ１のボックス本体Ｘ２に設けた凸部Ｘ２ｑ又は凹部Ｘ２ｐとを係合することによりスタッキング可能に構成した。【選択図】図５
2004331147.tif 000002
【特許請求の範囲】
【請求項１】
前方に開放する前方開口部を有するボックス本体と、当該ボックス本体に前記前方開口部を介して出し入れ可能に収容される引出し部とを具備する収納ボックスであって、
前記ボックス本体の上面壁又は下面壁の一方に凸部を設け、他方に前記凸部が係合し得る凹部を設け、この凸部又は凹部と、他の収納ボックスのボックス本体に設けた凹部又は凸部とを凹凸係合させることによりスタッキング可能に構成していることを特徴とする収納ボックス。
【請求項２】
前記凸部又は前記凹部を打ち抜いて挿通孔を形成し、当該挿通孔を利用して、ボックス本体を収納家具等に略水平姿勢で設けた棚板に固定又は吊り下げ可能に構成している請求項１記載の収納ボックス。
【請求項３】
前記棚板に貫通孔を設け、前記貫通孔及び前記挿通孔を挿通するねじ部材と、ナットとを締め付けることにより前記ボックス本体を前記棚板に固定または吊り下げ可能に構成している請求項２記載の収納ボックス。
【請求項４】
前記凸部及び前記凹部が平面視略多角形状である請求項１、２又は３記載の収納ボックス。
【請求項５】
前記ボックス本体が金属製素材からなる請求項１、２、３又は４記載の収納ボックス。
【請求項６】
前記凸部及び前記凹部が、金属製素材からなる前記上面壁及び下面壁を上方又は下方に押圧して形成したハーフパンチである請求項５記載の収納ボックス。
【請求項７】
前記凸部及び前記凹部を、それぞれ上面壁又は下面壁の４隅近傍に設けている請求項１、２、３、４、５又は６記載の収納ボックス。
【請求項８】
前記下面壁が、前記引出し部の出し入れ方向に沿って設けた一対の下面壁構成片を用いて構成されたものであり、これら下面壁構成片間に下方に開放する下方開口部を形成している請求項１、２、３、４、５、６又は７記載の収納ボックス。
【請求項９】
前記引き出し部の鏡板が透明又は半透明の合成樹脂素材からなる請求項１、２、３、４、５、６、７又は８記載の収納ボックス。
【請求項１０】
前記ボックス本体に前記引出し部を収容した状態における奥行き寸法を、前記棚板の奥行き寸法と略同一に設定している請求項２、３、４、５、６、７、８又は９記載の収納ボックス。
【発明の詳細な説明】
【０００１】
【発明の属する技術分野】
本発明は、スタッキング可能な収納ボックスに関するものである。
【０００２】
【従来の技術】
従来より、ボックス本体と、ボックス本体に出し入れ可能な引出し部とを備えた収納ボックスが周知である。このような収納ボックスは、ボックス本体の上面壁に起立する舌片を設けるとともに、下面壁に舌片が挿入可能なスリットを形成し、一の収納ボックスの舌片を、他の収納ボックスのスリットに挿入することによりスタッキングできるように構成している（例えば特許文献１参照）。
【０００３】
【特許文献１】
特開２０００−１６８７７９号公報（第１〜４頁、第１０図）
【０００４】
【発明が解決しようとする課題】
ところが、前記特許文献記載の収納ボックスは、舌片を設けるために上面壁の一部を起立させたり、スリットを形成するために下面壁の一部を切り開ける作業は面倒であり、製作工程が煩雑であるという不具合が生じる。また、スリットに舌片を挿入する際やスタッキング状態において、スリットの開口縁がちぎれる等して開口幅が拡がる恐れがあり、そのような場合には舌片とスリットとの係合状態が不安定になり、良好なスタッキング状態を維持できない。特に、ボックス本体がダンボール等の紙素材から成形したものである場合には上記不具合が生じ易い。また、上記収納ボックスは、比較的コンパクトに設計されているため、例えば収納家具等に設けた棚板等に配置する場合、収納家具内の収納空間に隙間よく収めようとするばかりに、棚板の奥行き方向に沿って複数の収納ボックスを配置し、結果として、奥方に位置する収納ボックスに収納されている被収納物を取り出すのが困難になるという不具合が生じる。
【０００５】
本発明は、このような課題に着目してなされたものであって、主たる目的は、簡素な構造でありながら良好なスタッキング状態を実現することができる収納ボックスを提供することにある。
【０００６】
【課題を解決するための手段】
すなわち、本発明の収納ボックスは、前方に開放する前方開口部を有するボックス本体と、このボックス本体に前記前方開口部を介して出し入れ可能に収容される引出し部とを具備するものであって、前記ボックス本体の上面壁又は下面壁の一方に凸部を設け、他方に前記凸部が係合し得る凹部を設け、この凸部又は凹部と、他の収納ボックスのボックス本体に設けた凹部又は凸部とを凹凸係合させることによりスタッキング可能に構成していることを特徴とする。
【０００７】
このようなものであれば、ボックス本体の上面壁又は下面壁にそれぞれ凸部又は凹部を形成するだけでよいため、製作工程の簡素化を有効に図ることができるとともに、凹部を採用することにより、スリットの場合と比較して、スタッキングする際やスタッキングした状態において、スリットの開口縁がちぎれる等して開口幅が拡がる恐れがなく、良好なスタッキング状態を維持することができる。このように簡素な構造を用いて複数の収納ボックスをスタッキングすることができるとともに、凸部と凹部とを係合させることによりスタッキング時の位置決めを簡単かつ正確に行うことができ、スタッキング状態を良好なものとすることが可能である。
【０００８】
また、前記凸部又は前記凹部を打ち抜いて挿通孔を形成し、この挿通孔を利用して、ボックス本体を収納家具等に略水平姿勢で設けた棚板に固定又は吊り下げ可能に構成しているものであれば、収納ボックスを棚板に載置して固定したり、吊り下げた状態で使用することができるため、種々の使用態様に柔軟に対応させることができ使い勝手に優れたものとなる。
【０００９】
具体的な実施態様としては、前記棚板に貫通孔を設け、前記貫通孔及び前記挿通孔を挿通するねじ部材と、貫通孔又は挿通孔に連通するナットとを締め付けることにより前記ボックス本体を前記棚板に固定または吊り下げ可能に構成しているものが挙げられる。
【００１０】
前記凸部及び前記凹部が平面視略多角形状であることが好ましい。この場合、例えば前記ねじ部材の一部が凸部又は凹部に嵌合し得る形状をなすものであれば、ねじ部材を凸部又は凹部に嵌合させることにより、ねじ部材を回転動作を規制した状態でナットを締め付けることができ、取付作業性の向上を図ることができるからである。
【００１１】
前記ボックス本体が金属製素材からなるものであれば、ボックス本体の強度を強くすることができ、複数の収納ボックスをスタッキングした場合、下方に位置する収納ボックスが上方に位置する収納ボックスの荷重を受けても撓み変形し難く、早期破損を防止することができるとともに、ボックス本体の変形によって引出し部の出し入れ動作が規制されるという不具合も解消し、使い勝手がよい。加えて、挿通孔の強度も強くなり、前記ねじ部材を用いた固定作業に支障を来すことがない。
【００１２】
さらに具体的な実施態様としては、前記凸部及び前記凹部が、前記上面壁及び下面壁を上方又は下方に押圧して形成したハーフパンチであることが挙げられる。
【００１３】
安定したスタッキング状態を実現するためには、前記凸部及び前記凹部を、それぞれ上面壁又は下面壁の４隅近傍に設ければよい。
【００１４】
特に、前記下面壁を、前記引出し部の出し入れ方向に沿って設けた一対の下面壁構成片を用いて構成し、これら下面壁構成片間に下方に開放する下方開口部を形成すれば、ボックス本体の軽量化を有効に図ることができる。
【００１５】
前記引き出し部の鏡板が透明又は半透明の合成樹脂素材からなるものであれば、複数の収納ボックスをスタッキングした場合であっても、引出し部の内部状態を容易に視認することができる。
【００１６】
特に、前記ボックス本体に前記引出し部を収容した状態における収納ボックスの奥行き寸法を、前記棚板の奥行き寸法と略同一に設定していれば、収納ボックスを棚板上の収納スペースにほぼ隙間なく効率的に収めることができるとともに、棚板の奥行き方向に沿って複数の収納ボックスを配置することが規制され、従来品のように棚板の奥行き方向に沿って複数の収納ボックスを配置した場合に、奥方に位置する収納ボックスに収納されている被収納物を取り出すのが困難になるという不具合が生じることがなく、実用性に富むものとなる。
【００１７】
【発明の実施の形態】
以下、本発明の一実施形態を、図面を参照して説明する。
【００１８】
本発明に係る収納ボックス１は、図１に示すように、例えば収納家具４に設けた棚板５１に配置して利用することができるものである。
【００１９】
収納ボックス１は、図２乃至図４に図示するように、前方に開放する前方開口部２ａを有するボックス本体２と、このボックス本体２に前方開口部２ａを介して出し入れ可能に収容される引出し部３と具備する略直方体状のものである。
【００２０】
ボックス本体２は、例えば板金等の一枚の金属製素材を塑性変形加工した平面視略矩形状をなすものであり、一対の起立壁２１と、各起立壁２１の上端部を接続する上面壁２２と、各起立壁２１の下端部からそれぞれ他方の起立壁２１の下端部に向かって略水平に延びる一対の第１下面壁構成片２３と、上面壁２２の後端部から垂下してなる背面壁２４と、背面壁２４の下端部から前方に略水平に突設する第２下面壁構成片２５とを備え、前方に開放する前方開口部２ａを有するものである。各第１下面壁構成片２３は、引出し部３の出し入れ方向に沿って設けたものであり、第１下面壁構成片２３間には下方に開放する下方開口部２ｂを形成している。上面壁２２の４隅近傍には、上面壁２２を下方へ向かって押圧して窪ませてなる凹部２ｐを形成している。また、各第１下面壁構成片２３の前端部及び後端部にそれぞれ第１下面壁構成片２３を下方へ向かって押圧して突出させてなる凸部２ｑを形成している。凹部２ｐ及び凸部２ｑはいわゆるハーフパンチであり、凹部２ｐと凸部２ｑの形成箇所が高さ方向に略一致するように設定するともに、凸部２ｑが凹部２ｐに嵌合し得るようにそれぞれの突出寸法及び窪み寸法を適宜設定している。各凹部２ｐ、各凸部２ｐは、平面視略四角形状をなすものであり、それぞれ上方から下方に向かって漸次開口幅寸法が小さくなるようにテーパ面２ｐａ、２ｑａを設けている（図６（ｂ）参照）。
【００２１】
引出し部３は、上方に開放する上方開口部及び前方に開放する前方開口部３１ｂを有する略箱型の引出し部本体３１と、この引出し部本体３１の前方開口部３１ｂを閉止する位置に設けた鏡板３２とを備えたものである。
【００２２】
引出し部本体３１は、例えばＰＰ（ポリプロピレン）等の合成樹脂素材からなる一体成形品であり、一対の起立壁３１１と、各起立壁３１１の下端部を接続する下面壁３１２と、各起立壁３１１の後端部を接続する背面壁３１３とを備える。各起立壁３１１の高さ寸法を、前記ボックス本体２の高さ寸法の略５分の４程度に設定し、ボックス本体２に収容した場合に、各起立壁３１１と、ボックス本体２の上面壁２２に設けた凹部２ｐとが相互に干渉しないようにしている。なお、起立壁３１１と凹部２ｐとが干渉しない範囲で起立壁３３１の高さ寸法を適宜変更してもよい。
【００２３】
鏡板３２は、正面視略矩形状をなし、例えば透明又は半透明のアクリル樹脂等の合成樹脂素材からなる板状のものであり、高さ寸法及び巾寸法を前記ボックス本体２の高さ寸法及び巾寸法より若干大きく設定している。鏡板３２の正面視略中央部には、板厚方向に貫通する略円形状の操作孔３２ａを形成して、この操作孔３２ａに指を引っ掛けて引出し部３をボックス本体２から引き出すことができるようにしている。
【００２４】
そして、引出し部本体３１の下面壁３１２と鏡板３２の下端部とを略一致させるようにして引出し部本体３１の前端部を鏡板３に突き当てて、当接する部位を例えば溶接することにより、前記引出し部本体３１と鏡板３２とを一体的に接合し、上方に開口する収納空間３ｓを有する引出し部３を成形する。
【００２５】
上記のような構成を有する引出し部３を引出し部本体３１側からボックス本体２に挿入するようにして収容する。この場合、鏡板３２の上縁部及び側縁部がボックス本体２の前縁部に当たり、引出し部３のそれ以上の奥行き方向への移動を規制するように設定している。また、ボックス本体２に引出し部３を収容した状態における収納ボックス１の奥行き寸法ｘを、前記棚板５１の奥行き寸法ｙと略同一となるように設定している（図１参照）。
【００２６】
収納ボックス１は、図５に図示するように、同様の構成及び形状を有する他の収納ボックスＸ１をスタッキングできるように構成している（なお、図５はスタッキング状態の収納ボックス１（Ｘ１）を、図１におけるＡ−Ａ線断面図に対応させて示した模式図である）。一の収納ボックス１に他の収納ボックスＸ１をスタッキングするには、一の収納ボックス１の上方に他の収納ボックスＸ１を位置させ、一の収納ボックス１の上面壁２２に設けた各凹部２ｐに、他の収納ボックスＸ１の第１下面壁構成片Ｘ２３に設けた各凸部Ｘ２ｑをそれぞれ嵌合させるようにして行う。これにより、各凹部２ｐと各凸部Ｘ２ｑとが相互に略緊密に係わり合い、一の収納ボックス１に対して他の収納ボックスＸ１の位置が位置決めされ、安定したスタッキング状態となる。なお、他の収納ボックスＸ１の上方に前記一の収納ボックス１を位置させ、他の収納ボックスＸ１の上面壁Ｘ２２に設けた各凹部Ｘ２ｐに、一の収納ボックス１の第１下面壁構成片２３に設けた各凸部２ｑをそれぞれ嵌合させることによりスタッキングさせても勿論構わない。また、３以上の収納ボックス１を上記の手順によりスタッキングすることも可能である。
【００２７】
また、図６に示すように、前記収納ボックス１を前記収納家具４の棚板５１に吊り下げて吊り棚として利用することもできる。なお、同図（ａ）は、収納ボックス１を棚板５１に吊り下げた状態を図５に対応させて示した図であり、同図（ｂ）は（ａ）における領域Ｚの拡大図であり、同図（ｃ）はねじ部材７の全体斜視図である。
【００２８】
収納家具４は、図１に図示するように、所定の収納空間５ｓを形成する収納家具本体５と、この収納家具本体５の前面開口を回転して開閉可能とする左右の扉６（左の扉は図示省略）とを備えた周知のものであり、詳細な説明は割愛する。
【００２９】
棚板５１は、収納家具本体５の側板５２間に略水平姿勢で架け渡された長尺のものであり、長手方向に沿って複数の貫通孔５１ａを所定ピッチずつ離間させて設けている（なお、図１においては貫通孔５１ａを省略した棚板５１を示している）。各貫通孔５１ａは、例えば平面視略円形状をなし、棚板５１の板厚方向に貫通するものであり、ボックス本体２の上面壁２２に設けた凹部２ｐに対応させて、短寸方向に所定距離離間させ長手方向に沿って２列となるように設けている。
【００３０】
しかして、収納ボックス１を棚板５１に吊り下げる吊り下げ構造は、ボックス本体２の上面壁２２に設けた各凹部２ｐを打ち抜いて形成した挿通孔２ｒを介して、ねじ部材７を利用してボックス本体２を棚板５１に引寄せ締め付ける固定手段８により収納ボックス１を棚板５１に固定するものである。
【００３１】
挿通孔２ｒは、前記各凹部２ｐの底面を、適宜の工具を用いて下方に押圧して打ち抜き、上面壁２２の板厚方向に貫通させたものである。
【００３２】
ねじ部材は７、図６に示すように、雄ねじであるねじ部７１と、ねじ部７１よりも径の大きいねじ頭７２とを有するものである。本実施形態においては、ねじ部７１とねじ頭７２との間に平面視略四角形状をなす薄板状の嵌合部７３を一体的に設けている。この嵌合部７３は、前記挿通孔２ｒに嵌合し得るものであり、凹部２ｐのテーパ面２ｐａに対応するテーパ面７３ａを設けている。また、ねじ頭７２は前記貫通孔５１ａに収容され得るようにその径が設定されている。
【００３３】
固定手段８は、貫通孔５１ｒ及び挿通孔２ｒに挿通したねじ部材７のねじ部材７１と、挿通孔２ｒに連通するように配置するナット９のねじ孔９１とをねじ合わせることにより、ボックス本体２の上面壁２２を棚板５１の下面部５１ｂに引寄せて固定するように構成したものである。
【００３４】
次に、固定手段８を用いて収納ボックス１を棚板５１に吊り下げる手順を図６を参照して説明する。
【００３５】
先ず、ボックス本体２から引出し部３を取り外し、ボックス本体２の上面壁２２に設けた各凹部２ｐを、適宜の工具を用いて下方に押圧して打ち抜き前記挿通孔２ｒを形成する。そして、棚板５１に設けた複数の貫通孔５１ａのうち、所望の取付位置に位置する貫通孔５１ａと、前記挿通孔２ｒとを略一致させる。次いで、ねじ部材７を棚板５１の上方から貫通孔５１ａ及び挿通孔２ｒの順に挿通する。この際、嵌合部７３が凹部２ｐに回転不能に嵌合し、嵌合部７３のテーパ面７３ａと、凹部２ｐのテーパ面２ｐａとが当接するとともに、ねじ頭７３が貫通孔５１ａ内に収容され、ねじ頭７３の上面と棚板５１の上面５１ｃとが略面一となる。そして、各挿通孔２ｒを貫通して下方に突出するねじ部７１に、ナット９のねじ孔９１を下方から上方に向かって螺合することによって、経過的にナット９が凹部２ｐの下端部に当接するとともに、ボックス本体２の上面壁２２を棚板５１の下面部５１ｂに略密接させた状態でボックス本体２を棚板５１に固定することができる。最後に、ボックス本体２に引出し部３を収容することにより、収納ボックス１を棚板５１に吊り下げた吊り棚として利用することができる。
【００３６】
以上のように、本実施形態に係る収納ボックス１は、ボックス本体２の上面壁２２に凹部２ｐを設け、第１下面壁構成片２３に凹部２ｐに嵌合し得る凸部２ｑを設け、この凹部２ｐ又は凸部２ｑと、他の収納ボックスＸ１のボックス本体Ｘ２に設けた凸部Ｘ２ｑ又は凹部Ｘ２ｐとを係合することによりスタッキング可能に構成している。このような構成を有する収納ボックス１は、ボックス本体２の上面壁２２に凹部２ｐを設け、第１下面壁構成片２３に凸部２ｑを設けるだけでよく、製作工程の簡素化を有効に図ることができるとともに、凹部２ｐを採用することにより、スリットの場合と比較して、スタッキングする際やスタッキングした状態において、スリットの開口縁がちぎれる等して開口幅が拡がる恐れがなく、良好なスタッキング状態を維持することができる。このように簡素な構造を用いて複数の収納ボックス１をスタッキングすることができるとともに、凸部２ｐ（Ｘ２ｐ）と凹部Ｘ２ｑ（２ｑ）とを係合させることによりスタッキング時の位置決めを簡単かつ正確に行うことができ、スタッキング状態を良好なものとすることが可能である。
【００３７】
特に、ボックス本体２の上面壁２２に設けた凹部２ｐを打ち抜いて挿通孔２ｒを形成し、この挿通孔２ｒを利用して、ボックス本体２を棚板５１に吊り下げ可能に構成しているため、収納ボックス１を棚板１に載置して利用する態様に加えて、収納ボックス１を棚板５１に吊り下げて吊り棚として機能させることができ、種々の使用態様に柔軟に対応させることができる。加えて、スタッキングする際に係合機構及び位置決め部として機能していた凸部２ｑ又は凹部２ｐを、収納ボックス１を吊り棚として使用する場合にも共用することができ、収納ボックス１を吊り下げるために別途部材を設ける必要がなく部品点数の削減を図ることができる。
【００３８】
棚板５１に貫通孔５１ａを設け、貫通孔５１ａ及び挿通孔２ｒを挿通するねじ部材７と、ナット９とを締め付けることによりボックス本体２を棚板５１に固定した状態で吊り下げ可能に構成しているため、簡素な構造を用いて、ボックス本体２と棚板５１との取付状態を強固なものとすることができる。
【００３９】
凹部２ｐ及び凸部２ｑが平面視略四角形状であるため、ねじ部材７の一部である嵌合部７３を凹部２ｐ又は凸部２ｑに嵌合し得る形状とすることにより、嵌合部７３を凹部２ｐ又は凸部２ｑに嵌合させてねじ部材７の回転動作を規制した状態で、ナット９をねじ部材７の下方から締め付けることができ、取付作業性の向上を図ることができる。
【００４０】
ボックス本体２が金属製素材からなるため、収納ボックスとして機能させるために十分な剛性を付与することができ、複数の収納ボックス１をスタッキングした場合、下方に位置する収納ボックス１が上方に位置する収納ボックス１の荷重を受けても撓み変形し難く、早期破損を防止することができる。また、ボックス本体２の変形によって引出し部３の出し入れ動作が規制されるという不具合を回避することもでき、使い勝手がよい。さらに、挿通孔２ｒの強度も強くなるため、ねじ部材７を用いた固定作業に支障を来すことのない十分な剛性を付与することができる。
【００４１】
また、凸部２ｑ及び凹部２ｐが、上面壁２２及び第１下面壁構成片２３を下方に押圧して形成したハーフパンチであるため、極めて簡単に凸部２ｑ及び凹部２ｐを形成することができる。また、従来、ハーフパンチは、一旦、一方に押圧した後、さらに逆方向に押圧して目立たなくするのが通例であるが、本実施形態では、目立たなくする必要がなく、一方に押圧するのみでよいため、工程数を有効に削減することができる。しかも、適宜の工具を用いて簡単に打ち抜くことができ、挿通孔２ｒを容易に形成することができ、好適である。
【００４２】
凹部２ｐを上面壁２２の４隅近傍に設けるとともに、凸部２ｑを凹部２ｐに対応するように各第１下面壁構成片２３に設けているため、安定したスタッキング状態を実現することができる。
【００４３】
引出し部３の出し入れ方向に沿って設けた一対の第１下面壁構成片２３間に下方に開放する下方開口部２ｂを形成しているため、ボックス本体２の軽量化を図ることができるとともに、一対の第１下面壁構成片２３によって、ボックス本体２に収容した引出し部３が下方に落下することを確実に防止することができる。また一対の第１下面壁構成片２３を引出し部３の下面を支持するレールとして機能させることもでき、例えば第１下面壁構成片２３の形状を工夫することにより引出し部３の出し入れ動作をよりスムーズに行うことが可能である。
【００４４】
また、鏡板３２が透明又は半透明の合成樹脂素材からなるものであるため、複数の収納ボックス１をスタッキングした場合であっても、引出し部３の収納空間３ｓの状態を容易に視認することができる。したがって、複数の収納ボックス１をスタッキングした状態において、一の被収納物を探す場合に、逐一引出し部３を引き出して収納空間３ｓ内を確認する必要がなく、便利である。
【００４５】
ボックス本体２に引出し部３を収容した状態における収納ボックス１の奥行き寸法ｘを、棚板５１の奥行き寸法ｙと略同一に設定しているため、収納ボックス１を収納家具４の収納空間５ｓの奥行き方向にほぼ隙間なく効率的に収めることができるとともに、棚板５１の奥行き方向に沿って複数の収納ボックス１を配置することが規制され、従来品のように棚板の奥行き方向に沿って複数の収納ボックスを直列的に配置した場合に、奥方に位置する収納ボックスに収納されている被収納物を取り出すのが困難になるという不具合が生じることがなく、実用性に富むものとなる。
【００４６】
また、引出し部３が合成樹脂素材からなるため、収納ボックス１自体の軽量化を図ることができる。
【００４７】
さらに、引出し部本体３１が合成樹脂素材からなるため、引出し部本体３１を金属製素材または紙素材から成形している場合と比較して、引出し部３の出し入れ時に、引出し部本体３１とボックス本体２とが接触することによる生じる摩擦力を低減することができ、引出し部３の出し入れ動作をよりスムーズに行うことができる。
【００４８】
また、棚板５１の長手方向に沿って複数の貫通孔５１ａを設けているため、一の棚板５１を利用して、ある収納ボックス１を棚板５１に載置し、他の収納ボックス１を棚板５１に吊り下げて吊り棚として使用することが可能であり、収納家具本体５の収納空間５ｓを有効に活用することができる。加えて、棚板５１に収納ボックス１を載置した場合、収納ボックス１の第１下面壁構成片２３に設けた凸部２ｑを貫通孔５１ａに嵌合させて相互に係わり合わせることができ、収納ボックス１が棚板５１の長手方向に横滑りすることを防止し、安定した設置状態を実現することができる。この場合、貫通孔５１ａは位置決め部として機能する。
【００４９】
なお、本発明は、以上に詳述した実施形態に限られるものではない。
【００５０】
例えば、棚板に収納ボックスを載置する場合、ボックス本体の下面壁（上記実施形態では下面壁構成片）に設けた凸部（又は凹部）を打ち抜いて挿通孔を形成し、この挿通孔と棚板の貫通孔とを一致させた状態でねじ部材とナットとをねじ合わせすることにより、ボックス本体を棚板の上面に固定してもよい。
【００５１】
また、上面壁及び第１下面壁構成片をそれぞれ上方へ向かって押圧して、上面壁に凸部を形成するとともに、第１下面壁構成片に凹部を形成してもよい。また、凸部及び凹部の数を適宜増減しても勿論構わない。
【００５２】
また、鏡板も、視認性のあるものであればよく、アクリル樹脂に限られない。また、上記実施形態においては、引出し部本体と鏡板とを溶接により接合したが、両部材を樹脂リベットを用いて一体的に組み付けてもかまわない。この場合、両部材の組付強度を高めることができるとともに、通常のリベットを用いて組み付けた場合と比較して引出し部の出し入れ動作時の滑りを良くすることができる。
【００５３】
ボックス本体の下面壁を、下方開口部を形成しない一枚の壁から構成してもよい。
【００５４】
凸部及び凹部は平面視略多角形状のものであればよく、平面視略四角形状のものに限定されない。この場合、ねじ部材のねじ頭（の一部）を凸部又は凹部に嵌合し得る形状をなすように設定すれば、前述の通り取付作業性を向上させることができる。
【００５５】
また、棚板は一の収納家具内に設けたものに限らず、一の収納家具と他の収納家具との間に架け渡された又は介在するものであってもよく、そのような棚板に収納ボックスを載置又は吊り下げて使用しても構わない。また棚板の板厚方向の剛性を超えない範囲で複数の収納ボックスを高さ方向に連ねるようにして吊り下げてもよい。
【００５６】
また、ボックス本体の上面壁の下方から挿通孔及び貫通孔の順に挿通したねじ部材を、貫通孔に連通するように設けたナットにねじ合わせることにより、ボックス本体の上面壁を棚板の下面部に引寄せて固定するように構成しても構わない。また、固定手段は上述したようなねじ部材とナットとを利用したものに限らず、挿通孔を介してボックス本体を前記棚板に固定するものであれば種々の構成のものを採用することできる。
【００５７】
また、収納ボックスが縦長の直方体状のものであっても構わない。その場合、前記鏡板を兼用することができる。
【００５８】
その他、各部の具体的構成についても上記実施形態に限られるものではなく、本発明の趣旨を逸脱しない範囲で種々変形が可能である。
【００５９】
【発明の効果】
以上説明したように本発明によれば、ボックス本体の上面壁又は下面壁にそれぞれ凸部又は凹部を形成するだけでよいため、製作工程の簡素化を有効に図ることができるとともに、凹部を採用することにより、スリットの場合と比較して、スタッキングする際やスタッキングした状態において、スリットの開口縁がちぎれる等して開口幅が拡がる恐れがなく、良好なスタッキング状態を維持することができる。このように簡素な構造を用いて複数の収納ボックスをスタッキングすることができるとともに、凸部と凹部とを係合させることによりスタッキング時の位置決めを簡単かつ正確に行うことができ、スタッキング状態を良好なものとすることが可能である。
【図面の簡単な説明】
【図１】本発明の一実施形態に係る収納ボックスを棚板上に載置した使用態様を一部省略して示す全体斜視図。
【図２】同実施形態に係る収納ボックスの全体斜視図。
【図３】同分解斜視図。
【図４】同正面図。
【図５】作用説明図。
【図６】作用説明図。
【符号の説明】
１、Ｘ１…収納ボックス
２、Ｘ２…ボックス本体
２２、Ｘ２２…上面壁
２３、Ｘ２３…下面壁構成片（第１下面壁構成片）
２ａ…前方開口部
２ｂ…下方開口部
２ｐ、Ｘ２ｐ…凹部
２ｑ、Ｘ２ｑ…凸部
２ｒ…挿通孔
３…引出し部
３２…鏡板
４…収納家具
５１…棚板
５１ａ…貫通孔
７…ねじ部材
９…ナット
【図１】
2004331147.tif 000003
【図２】
2004331147.tif 000004
【図３】
2004331147.tif 000005
【図４】
2004331147.tif 000006
【図５】
2004331147.tif 000007
【図６】
2004331147.tif 000008